(57)【要約】【課題】  耐久性を損なうことなく確実に小型化できる燃料電池システム、およびこれを備えた機器を提供すること。【解決手段】  改質器２と燃料電池４との間にバイパス流路６２を介して圧力調整手段５を設ける。圧力調整手段５には、水素吸蔵材料５２が収納されており、水素流路６１内の水素圧力が所定値以上となると水素吸蔵材料５２が水素を吸蔵して、水素流路６１内の圧力を適切に維持する。燃料電池４内の圧力が低くなると、水素吸蔵材料５２が水素を放出して燃料電池４に供給する。圧力調整手段５によって改質器２と燃料電池４との間の水素圧力のばらつきを吸収できるから、圧力が過剰となることがなく、各構成部品の小型化を促進しても、耐久性を損なうことがない。【選択図】 図１
2005310437.tif 000002
【特許請求の範囲】
【請求項１】
液体燃料を改質して水素を生成する改質器と、この改質器から供給された水素を酸素と反応させて電気エネルギを取り出す燃料電池とを備えた燃料電池システムであって、
前記改質器と前記燃料電池との間の水素流路には、水素吸蔵材料が収納されるとともにこの水素吸蔵材料によって前記改質器と前記燃料電池との間の圧力を調整する圧力調整手段が設けられている
ことを特徴とする燃料電池システム。
【請求項２】
請求項１に記載の燃料電池システムにおいて、
前記圧力調整手段の水素吸蔵材料は、常温で水素を放出可能な水素吸蔵合金である
ことを特徴とする燃料電池システム。
【請求項３】
請求項１または請求項２に記載の燃料電池システムにおいて、
前記圧力調整手段は、前記水素流路にバイパス流路を介して接続され、
前記改質器と前記圧力調整手段との間の前記バイパス流路には、前記水素流路内の圧力が所定値以上となった場合に前記バイパス流路を開く開閉弁が設けられている
ことを特徴とする燃料電池システム。
【請求項４】
請求項１から請求項３のいずれかに記載の燃料電池システムにおいて、
前記圧力調整手段と前記燃料電池との間には、前記燃料電池から前記圧力調整手段への逆流を防止する逆止弁が設けられている
ことを特徴とする燃料電池システム。
【請求項５】
請求項１から請求項４のいずれかに記載の燃料電池システムにおいて、
前記圧力調整手段は、前記水素流路に対して着脱可能に設けられている
ことを特徴とする燃料電池システム。
【請求項６】
請求項１から請求項５のいずれかに記載の燃料電池システムにおいて、
前記圧力調整手段は、互いに径が異なる大径筒状部材および小径筒状部材を備え、
前記小径筒状部材は、前記大径筒状部材内に収納され、
前記水素吸蔵材料は、前記小径筒状部材と前記大径筒状部材との間、または前記小径筒状部材内に充填されている
ことを特徴とする燃料電池システム。
【請求項７】
請求項１から請求項６のいずれかに記載の燃料電池システムにおいて、
前記圧力調整手段と前記燃料電池とは隣接して配置されている
ことを特徴とする燃料電池システム。
【請求項８】
請求項７に記載の燃料電池システムにおいて、
前記圧力調整手段および前記燃料電池の少なくとも一方は、真空断熱材で覆われている
ことを特徴とする燃料電池システム。
【請求項９】
請求項１から請求項８のいずれかに記載の燃料電池システムを備えたことを特徴とする機器。
【発明の詳細な説明】
【技術分野】
【０００１】
本発明は、燃料電池システムおよびこの燃料電池システムを備えた機器に関する。
【背景技術】
【０００２】
燃料電池は、外部から連続的に供給された燃料と酸素とを電気化学的に反応させて電気エネルギを取り出すものである。燃料電池は、他の発電方式に比べて高効率で二酸化炭素の排出量が少ないため、環境問題が顕著になっている近年注目されている。
例えば高分子電解質形燃料電池(Polymer Electrolyte Fuel Cell, PEFC)は、低い温度で動作が可能で起動時間が短く、小型化も可能である。この高分子電解質形燃料電池は、高分子固体電解質膜を空気側電極と燃料側電極とで挟んだ構造のＭＥＡ(Membrane Electrode Assembly)を備え、空気側電極に空気（酸素）を供給し、燃料側電極にメタノールや改質した水素などの燃料を供給することにより、電気化学的反応が起こり電力が発生する（例えば特許文献１）。
【０００３】
また、高分子電解質型燃料電池の中でも、液体燃料を改質して得られる水素を燃料側電極に供給する燃料電池は、液体燃料としてのメタノール水溶液を燃料側電極に供給する直接メタノール型燃料電池（ＤＭＦＣ）と比較し、エネルギ変換効率が高いというメリットがあるため、液体燃料を改質するための改質器等を含め、システム全体の開発が盛んに行われている。
【０００４】
【特許文献１】特開平８−１６２１３２号公報
【発明の開示】
【発明が解決しようとする課題】
【０００５】
ところで、改質器を用いた燃料電池システムにおいては、この改質器に供給される液体燃料が触媒反応によって改質され、水素を発生するのであるが、発生する水素の体積は、供給された燃料の約３００〜５００倍にもなるため、触媒反応に伴って改質器から燃料電池へ至る系内の圧力が大幅に上昇する。そして、従来の比較的大型の燃料電池システムでは、改質器から燃料電池までの水素流路としては、例えば金属管等が用いられていたり、前述の高分子固体電解質膜としても十分な厚みを有していたために、そのような圧力上昇にも何ら支障をきたすことはなかった。
【０００６】
しかしながら、燃料電池システムを携帯機器に搭載する等のために、システムの小型化を図ろうとすると、供給路としてはより細い樹脂製のチューブ等が用いられたり、高分子固体電解質膜としても極薄のものが用いられるようになるため、圧力上昇に良好に対抗することができず、耐久性の低下を招くという心配がある。
【０００７】
本発明の目的は、耐久性を損なうことなく確実に小型化できる燃料電池システム、およびこれを備えた機器を提供することにある。
【課題を解決するための手段】
【０００８】
本発明の燃料電池システムは、液体燃料を改質して水素を生成する改質器と、この改質器から供給された水素を酸素と反応させて電気エネルギを取り出す燃料電池とを備えた燃料電池システムであって、改質器と燃料電池との間の水素流路には、水素吸蔵材料が収納されるとともにこの水素吸蔵材料によって改質器と燃料電池との間の圧力を調整する圧力調整手段が設けられていることを特徴とする。
この発明によれば、水素流路に、水素吸蔵材料が収納された圧力調整手段が設けられているので、改質器での水素生成量が多い場合や、燃料電池での水素消費量が少ない場合など、改質器、燃料電池、および水素流路内の圧力が高まると、水素流路内の水素が圧力調整手段の水素吸蔵材料に吸蔵される。したがって、水素流路内の水素が過剰とならず圧力が適切に調整されるため、燃料電池システムの各構成部品に高い耐圧性が要求されないので、燃料電池の耐久性を損なうことなく、小型化の促進が確実となる。
【０００９】
ここで、水素吸蔵材料は、所定の圧力以上の圧力で水素を供給すると、当該水素を吸蔵する性質を有し、また、所定の圧力（水素放出平衡圧）以下で水素を放出する性質を有する。水素を吸蔵する際の所定の圧力および放出する際の所定の圧力は、水素吸蔵材料の種類によりそれぞれ異なる。つまり、本発明によれば、水素吸蔵材料が収納された圧力調整手段が水素流路に設けられているので、水素流路、改質器、および燃料電池内の圧力は水素吸蔵材料が水素を吸蔵する際の所定の圧力近傍に調整されることとなり、圧力調整手段は圧力を調整する役割を果たす。これにより、改質器および燃料電池内の圧力が安定し、改質器での改質性能、および燃料電池での反応効率が安定する。
【００１０】
本発明では、圧力調整手段の水素吸蔵材料は、常温で水素を放出可能な水素吸蔵合金であることが望ましい。
この発明によれば、水素吸蔵材料が常温で水素を放出可能なので、圧力調整手段を加熱等する必要がなく、圧力調整手段の構成が簡略化するとともに、水素吸蔵材料の取扱性が良好となる。
【００１１】
本発明では、圧力調整手段は、水素流路にバイパス流路を介して接続され、改質器と圧力調整手段との間のバイパス流路には、水素流路内の圧力が所定値以上となった場合にバイパス流路を開く開閉弁が設けられていることが望ましい。
この発明によれば、圧力調整手段がバイパス流路を介して接続されているので、改質器で発生した水素は水素流路を通って燃料電池に供給される。したがって、燃料電池で水素が消費されている間は、圧力調整手段に水素が吸蔵されることなく燃料電池に供給され、燃料電池の反応が良好となる。
また、水素流路には開閉弁が設けられているので、改質器での水素生成量が多い場合や燃料電池での水素消費量が少ない場合などに、水素流路内の水素圧力が上昇すると、水素流路内の圧力が所定値以上となったとき開閉弁が開き、バイパス流路が水素流路と連通する。水素はバイパス流路を通って圧力調整手段の水素吸蔵材料に吸蔵される。
さらに、燃料電池内の圧力が低下して水素吸蔵材料の水素放出平衡圧に達すると、水素吸蔵材料に吸蔵された水素が放出され、バイパス流路を介して燃料電池に供給される。これにより、改質器の改質効率や、改質器への液体燃料の供給のばらつきによる影響が最小限に抑制され、水素吸蔵材料のより確実で安定した水素供給が可能となる。
【００１２】
本発明では、圧力調整手段と燃料電池との間には、燃料電池から圧力調整手段への逆流を防止する逆止弁が設けられていることが望ましい。
この発明によれば、逆止弁が設けられているので、燃料電池内に存在する酸素や水分などが圧力調整手段に逆流するのが良好に防止され、圧力調整手段の水素吸蔵材料における水素吸蔵性能の劣化が防止される。特に、水素吸蔵材料が水素吸蔵合金である場合には、水分を吸収することで水素吸蔵性能が劣化するため、この発明は有用である。
【００１３】
本発明では、圧力調整手段は、水素流路に対して着脱可能に設けられていることが望ましい。
この発明によれば、圧力調整手段が着脱可能に設けられているので、収納された水素吸蔵材料が劣化した場合などには、圧力調整手段のみを交換することが可能となり、燃料電池システム全体の寿命が長くなる。
【００１４】
本発明では、圧力調整手段は、互いに径が異なる大径筒状部材および小径筒状部材を備え、小径筒状部材は、大径筒状部材内に収納され、水素吸蔵材料は、小径筒状部材と大径筒状部材との間、または小径筒状部材内に充填されていることが望ましい。
この発明によれば、圧力調整手段の小径筒状部材と大径筒状部材との間に水素吸蔵材料が充填されている場合には、改質器で発生した水素は小径筒状部材内を流通する。水素吸蔵材料が小径筒状部材周囲に配置されるので、内部を流通する水素が良好に水素吸蔵材料に接触し、周囲から良好かつ確実に水素が吸蔵、放出される。
また、水素吸蔵材料が小径筒状部材内に充填されている場合には、改質器からの水素は小径筒状部材周囲の、大径筒状部材と小径筒状部材との間を流通する。したがって、改質器からの水素が水素吸蔵材料の周囲を流通して良好に水素吸蔵材料に接触し、水素が良好かつ確実に吸蔵、放出される。
【００１５】
本発明では、圧力調整手段と燃料電池とは隣接して配置されていることが望ましい。
この発明によれば、圧力調整手段と燃料電池とが隣接して配置されているので、圧力調整手段の水素吸蔵材料が水素を吸蔵する際に発生する熱を燃料電池に伝達することが可能となる。したがって、燃料電池が良好に加熱され、燃料電池の反応効率が良好となる。
【００１６】
本発明では、圧力調整手段および燃料電池の少なくともいずれか一方は、真空断熱材で覆われていることが望ましい。
この発明によれば、圧力調整手段と燃料電池とが隣接して配置されている場合に、両者のうち少なくともいずれか一方が真空断熱材で覆われているので、圧力調整手段の水素吸蔵材料で発生した熱が外部に逃げることなく確実に燃料電池に伝達される。したがって、燃料電池の反応効率がより一層良好となる。
【００１７】
本発明の機器は、前述の燃料電池システムを備えたことを特徴とする。
この発明によれば、機器が前述の燃料電池システムを備えているので、前述の燃料電池システムの効果と同様の効果が得られ、耐久性を損なうことなく、機器の小型化が促進される。
【発明の効果】
【００１８】
本発明の燃料電池システムおよび機器によれば、改質器から生成された水素を圧力調整手段の水素吸蔵材料で吸蔵することにより、燃料電池および改質器の圧力が過剰になるのを防止でき、燃料電池システムおよび機器の耐久性を損なうことなく小型化を促進できるという効果が得られる。
【発明を実施するための最良の形態】
【００１９】
以下、本発明の各実施形態を図面に基づいて説明する。なお、後述する第二実施形態以降で、以下に説明する第一実施形態での構成部品と同じ部品および同様な機能を有する部品には同一符号を付し、説明を簡単にあるいは省略する。
【００２０】
［第一実施形態］
図１には、本発明の第一実施形態にかかる燃料電池システム１が示されている。この図１において、燃料電池システム１は、液体燃料を改質して水素を発生する改質器２と、改質器２に液体燃料を供給する燃料供給手段３と、改質器２で発生した水素と外部から供給される酸素（空気）とによって反応して電気エネルギを発生する燃料電池４と、改質器２と燃料電池４との間に設けられるとともに、改質器２および燃料電池４内の圧力を調整する圧力調整手段５とを備えている。
【００２１】
改質器２は、詳細な図示を省略するが、容器内に触媒が収納された構成となっており、容器内に燃料供給手段３から液体燃料を供給すると、液体燃料が触媒反応により改質されて、水素が生成される。
ここで、液体燃料としては、例えば水素化ホウ素ナトリウム水溶液、水素化ホウ素カリウム水溶液、水素化ホウ素リチウム水溶液等のボロハイドライド燃料や、デカリン、シクロヘキサン、メチルシクロヘキサン等の有機ハイドライド燃料、メタノール、エタノール、イソプロピルアルコール等のアルコール系燃料などが採用できる。なお、液体燃料として水素化ホウ素ナトリウム水溶液を用いる場合では、例えば水酸化ナトリウム３ｇ、純水２７ｇ、水素化ホウ素ナトリウム５．５ｇの燃料組成のものが採用できる。
また、改質器２内に収納される触媒としては、液体燃料がボロハイドライド燃料である場合には、白金Ｐｔ、ルテニウムＲｕ、ロジウムＲｈなどの白金族や、コバルトＣｏ、ニッケルＮｉ、ラネーニッケル等のラネーアロイ、フッ化処理した水素吸蔵合金などが採用できる。また、液体燃料が有機ハイドライド燃料の場合では、触媒としては、白金Ｐｔ、ルテニウムＲｕ、ロジウムＲｈなどの白金族などが採用できる。そして液体燃料がメタノールの場合では、触媒としては、白金族触媒や、ニッケルＮｉ、銅系、Cu/ZnO/Al2O3系、Pd/ZnO触媒等が採用できる。
燃料供給手段３は、改質器２に接続され、内部に液体燃料を収納するとともに、改質器２内の触媒に液体燃料を所定量供給する。
【００２２】
燃料電池４は、詳細な図示を省略するが、高分子固体電解質膜と、この高分子固体電解質膜の両面に一体的に形成されるアノード電極およびカソード電極とを備え、アノード電極およびカソード電極から電気エネルギを取り出す構造である。
アノード電極側の燃料供給室には、改質器２と連通する合成樹脂製チューブ等の水素流路６１が設けられており、改質器２で生成された水素が、この水素流路６１を流通して燃料電池４の燃料供給室に供給される。
カソード電極側の空気供給室には、自然吸気によって、あるいはブロアなどによって強制的に、空気が供給される。
【００２３】
ここで、高分子固体電解質膜は、プロトン伝導性高分子で構成される高分子固体電解質樹脂が、延伸多孔室ポリテトラフルオロエチレン(Expanded Poly Tetra Fluoro Ethylene, E-PTFE)フィルムの多孔空隙部に含浸されることにより構成されている。高分子固体電解質樹脂としては、例えばナフィオン（デュポン社商標）等のパーフルオロスルホン酸系ポリマー、フッ素系ポリマー、炭化水素系ポリマーなどが採用できる。また、場合によってはこの高分子固体電解質樹脂に、電子導電性の生じない範囲で白金などの触媒やカーボン粉末、各種セラミックスなどを加えてもよい。
また、アノード電極およびカソード電極は、水素をイオン化するための触媒を担持したカーボン触媒電極膜から構成される。ここで、触媒としては、例えば白金等が採用できる。
【００２４】
圧力調整手段５は、水素流路６１の途中に設けられたバイパス流路６２に取り付けられている。バイパス流路６２は、水素流路６１から分岐して燃料電池４に連通している。したがって、圧力調整手段５は、改質器２と燃料電池４との間の水素流路６１に、バイパス流路６２を介して設けられていることとなる。
圧力調整手段５は、耐圧容器５１と、耐圧容器５１内部に収納される水素吸蔵材料５２とを備えている。水素吸蔵材料５２としては、グラファイトナノファイバー、カーボンナノチューブ、フラーレン、ナノ構造グラファイトなどのカーボン系水素吸蔵材料や、CaNi, LaCo, LaNi５などの水素吸蔵合金、NaAlH4等の無機化合物、Mg系材料、Na水素化物等が採用できる。本実施形態では、水素吸蔵材料は、常温で水素放出可能な水素吸蔵合金が採用されており、つまり常温での水素放出平衡圧が燃料電池４の反応圧力（例えば約７０ｋＰａ）近傍または反応圧力以下となる水素吸蔵合金が採用されている。このような水素吸蔵合金としては、例えばLaNi5, TiMn, SmCo, TiFe, VNb, TiFeMnなどが採用できる。
圧力調整手段５は、バイパス流路６２への接続部分にフランジ部５３が設けられており、バイパス流路６２に対してクランプなどで固定されている。このフランジ部５３により、圧力調整手段５は、バイパス流路６２（水素流路６１）に対して着脱可能に構成されている。
【００２５】
圧力調整手段５の上流側、つまり改質器２と圧力調整手段５との間のバイパス流路６２には、バイパス流路６２を開閉する開閉弁としての第一開閉弁６３が設けられている。この第一開閉弁６３には、圧力センサが内蔵されており、水素流路６１内の水素圧力が所定値（例えば１５０ｋＰａ）以上となった場合に、第一開閉弁６３が開き、バイパス流路６２を開放するように構成されている。
また、圧力調整手段５の下流側、つまり圧力調整手段５と燃料電池４との間のバイパス流路６２には、第二開閉弁６４が設けられている。この第二開閉弁６４は、燃料電池４内の圧力が燃料電池４の反応圧力（例えば約７０ｋＰａ）程度の所定値以下となった場合に開き、バイパス流路６２を開放するように構成されている。なお、第二開閉弁６４を開く際の所定値以下の圧力は、水素吸蔵材料５２の水素放出平衡圧以下の圧力に設定されている。また、第二開閉弁６４は、逆止弁としての機能を内蔵しており、この逆止弁の機能により、燃料電池４内の水素や空気（酸素）、燃料電池４で生成された水などがバイパス流路６２を逆流して圧力調整手段５に混入するのが防止されている。
【００２６】
水素流路６１の途中でかつバイパス流路６２への分岐点より下流側には、燃料電池４に供給される水素の圧力を調整する定圧弁６５が設けられている。この定圧弁６５には、圧力センサが内蔵されており、定圧弁６５の開度が調整されることにより、燃料電池４に供給される水素量を調整し、燃料電池４内の圧力を所定値（例えば７０ｋＰａ程度）に調整する。また、この定圧弁６５は、逆止弁としての機能を内蔵しており、この逆止弁の機能により、燃料電池４内の水素や空気（酸素）、燃料電池４で生成された水などが水素流路６１を逆流して圧力調整手段５に混入するのが防止されている。
ここで、第一開閉弁６３が開く場合における水素流路６１内の水素圧力の設定値（所定値）は、燃料電池４内の適正圧力や、定圧弁６５の圧力調整能力などを勘案して設定され、定圧弁６５が水素流路６１内の水素を安定して燃料電池４の適正圧力に調整できる圧力差の範囲を考慮して設定される。またこのとき、第一開閉弁６３の設定値（所定値）は、水素吸蔵材料５２による水素吸蔵時の圧力以上となるように設定されている。
【００２７】
これらの第一開閉弁６３、第二開閉弁６４、および定圧弁６５は、コントローラ７に電気的に接続されている。コントローラ７は、第一開閉弁６３および定圧弁６５に内蔵される圧力センサから圧力検出信号を入力し、これらの圧力検出信号に基づいて第一開閉弁６３、第二開閉弁６４、および定圧弁６５にそれぞれ開閉信号を出力して、これらの開閉動作を制御する。
【００２８】
このような燃料電池システム１では、次のように動作する。
まず、燃料電池システム１の初期状態では、第一開閉弁６３および第二開閉弁６４は閉じた状態となっている。燃料供給手段３により燃料が改質器２に供給されると、改質器２での触媒反応により、燃料が改質されて水素が生成される。生成された水素は、水素流路６１を流通し、定圧弁６５によって燃料電池４に供給される適切な所定圧力に調整されてから、燃料電池４に供給される。
【００２９】
燃料電池４では、アノード電極側の燃料供給室に水素が供給されると、水素はアノード電極との触媒によって下記の式(１)の酸化反応を生じ、この反応によりプロトンＨ＋と電子ｅ−とを生成する。
Ｈ２→２Ｈ＋＋２ｅ−  …(１)
プロトンＨ＋は、高分子固体電解質膜を透過してカソード電極側に移動することにより、アノード電極およびカソード電極の両端に電圧が生じる。プロトンＨ＋がカソード電極側に到達すると、このプロトンＨ＋と、外部の負荷を通って仕事をした後にカソード電極に到達した電子ｅ−と、空気中の酸素Ｏ２とが、カソード電極の触媒によって反応して下記の式(２)の還元反応が生じる。
1/2Ｏ２＋２Ｈ＋＋２ｅ−→Ｈ２Ｏ  …(２)
カソード電極側で生成された水は、水蒸気として燃料電池４の外部に排出される。
【００３０】
例えば燃料供給手段３による燃料供給が過剰となって改質器２で生成される水素が過剰となったり、燃料電池４で消費される水素量が減少するなどの理由により、水素流路６１内の水素量が増加すると、水素流路６１内の圧力が上昇する。水素流路６１内の圧力が所定値以上となると、第一開閉弁６３に内蔵された圧力センサがコントローラ７に検出信号を出力する。コントローラ７は、第一開閉弁６３に開放信号を出力し、これにより第一開閉弁６３が開き、バイパス流路６２が開放される。
水素流路６１内の水素は、バイパス流路６２内を流通し、圧力調整手段５に到達する。このとき、バイパス流路６２内の水素圧力は、水素吸蔵材料５２の吸蔵圧力以上であるので、圧力調整手段５の水素吸蔵材料５２が水素を吸蔵する。水素吸蔵材料５２が水素を吸蔵するに伴って、バイパス流路６２内の水素圧力が低下し、水素流路６１内の圧力が過剰となるのが防止される。また、水素流路６１内の圧力が所定値以下になると、第一開閉弁６３の圧力センサがコントローラ７に検出信号を出力し、この信号によりコントローラ７は第一開閉弁６３を閉じる。
【００３１】
また、例えば燃料供給手段３からの燃料供給が少なく改質器２からの水素生成量が不足したり、改質器２での改質効率の低下によって水素生成量が不足したり、燃料電池４での水素消費量が増加するなどにより、燃料電池４内の水素圧力が低下して、水素流路６１内の圧力が所定値以下となると、定圧弁６５に内蔵された圧力センサがコントローラ７に検出信号を出力する。コントローラ７は、この検出信号に基づいて第二開閉弁６４に開放信号を出力し、これにより第二開閉弁６４が開いてバイパス流路６２が開放される。このとき、燃料電池４内の圧力が圧力調整手段５の水素吸蔵材料５２の水素放出平衡圧以下となっているため、水素吸蔵材料５２に吸蔵されていた水素が放出され、燃料電池４に供給される。燃料電池４内の圧力が回復して水素放出平衡圧以上となると、水素吸蔵材料５２からの水素の放出が止まる。水素流路６１内の圧力が回復して所定値以上となると定圧弁６５の圧力センサがコントローラ７に検出信号を出力し、この信号によりコントローラ７が第二開閉弁６４を閉じる。
【００３２】
このような第一実施形態によれば、次のような効果が得られる。
(１) 改質器２と燃料電池４との間の水素流路６１（バイパス流路６２）に、水素吸蔵材料５２を収納した圧力調整手段５が設けられているので、水素流路６１内の水素圧力が所定値以上となった場合には、圧力調整手段５の水素吸蔵材料５２が余剰水素を吸蔵して、水素流路６１内の圧力を適切な値に維持する、圧力緩衝としての機能を果たす。したがって、水素流路６１を高耐圧性の材料で構成する必要がなく、例えば合成樹脂などで構成できるから、燃料電池システム１の耐久性を損なうことなく小型化を促進できる。また、圧力調整手段５によってある程度の水素圧力を吸収できるので、改質器２や燃料供給手段３において高精度な水素生成量の制御が必要なく、燃料電池システム１の構成を簡単にできる。
水素吸蔵材料５２の水素放出平衡圧が、燃料電池４内の適正圧力程度に設定されているので、燃料電池４内の圧力が低下すると水素吸蔵材料５２から水素を補充できる。したがって、燃料電池４内の圧力をほぼ一定に維持でき、燃料電池４での反応効率が安定するので、燃料電池システム１を安定して動作させることができる。
【００３３】
(２) バイパス流路６２が設けられ、このバイパス流路６２に第一開閉弁６３が設けられているので、第一開閉弁６３の閉じている間は、改質器２からの水素が水素流路６１を流通して直接燃料電池４に供給される。したがって、第一開閉弁６３の開閉の圧力設定によって、水素吸蔵材料５２への水素吸蔵が必要な時のみバイパス流路６２を積極的に開放することによって、燃料電池システム１のより確実かつ安定した圧力調整ができる。
【００３４】
(３) 定圧弁６５および第二開閉弁６４に逆止弁の機能が設けられているので、燃料電池４に供給された水素の逆流を防止できるとともに、燃料電池４に供給された空気や、燃料電池４で生成された水などの逆流を防止できる。水素吸蔵材料５２は、空気に含まれる酸素や、水などに接触すると、水素吸蔵能力が低下するため、これらの定圧弁６５および第二開閉弁６４で逆流を防止することにより、長期間にわたって良好な水素吸蔵能力を維持できる。
【００３５】
(４) 常温で水素放出平衡圧が燃料電池４の反応適正圧力近傍となる水素吸蔵材料５２を採用しているので、常温での水素の吸蔵、放出が可能となる。したがって、水素吸蔵材料の加熱手段などが不要となり、圧力調整手段５の構成を簡略化できるとともに、圧力調整手段５の取扱性を向上させることができる。
【００３６】
(５) 圧力調整手段５にフランジ部５３が設けられ、バイパス流路６２に対して着脱可能となっているので、長期間の使用により水素吸蔵材料５２の水素吸蔵能力が低下した場合などには、圧力調整手段５のみを交換することができ、燃料電池システム１の他の部品をそのまま使用することができる。したがって、燃料電池システム１全体としての寿命を長くすることができる。
【００３７】
［第二実施形態］
次に、本発明の第二実施形態について説明する。第二実施形態は、第一実施形態の圧力調整手段５が、バイパス流路６２を介して接続されず、直接水素流路６１に取り付けられている点が異なる。
図２には、第二実施形態にかかる燃料電池システム１の概略図が示されている。この図２において、燃料電池システム１には、第一実施形態のバイパス流路６２は設けられておらず、圧力調整手段５は、水素流路６１の途中に直接接続されている。圧力調整手段５の耐圧容器５１には、二カ所のフランジ部５３が設けられ、それぞれ水素流路６１の上流側および下流側にクランプなどによって固定されている。これらのフランジ部５３により、本実施形態において圧力調整手段５は、水素流路６１に対して着脱可能に構成されている。
水素流路６１において圧力調整手段５と燃料電池４との間には、定圧弁６５が設けられている。この定圧弁６５は、圧力センサを内蔵し、かつ逆止弁の機能を有しており、コントローラ７に電気的に接続されている。
ここで、水素吸蔵材料５２の水素吸蔵時の圧力および水素放出平衡圧は、定圧弁６５が安定して水素圧力を調整できる範囲（圧力差など）を勘案して設定される。
【００３８】
このような燃料電池システム１では、改質器２で生成された水素は水素流路６１に流入し、圧力調整手段５を通過する。そしてコントローラ７が定圧弁６５の開度を調整して適切な圧力に調整された水素は、燃料電池４に供給される。水素流路６１内の圧力が高くなって所定値以上となると、圧力調整手段５の水素吸蔵材料５２が水素を吸蔵する。この水素吸蔵により、水素流路６１内の圧力が所定圧力以内に維持される。また、燃料電池４内の圧力が低下して水素吸蔵材料５２の水素放出平衡圧以下となると、水素吸蔵材料５２が水素を放出して燃料電池４に供給される。
【００３９】
このような第二実施形態によれば、第一実施形態の(１)、(３)および(４)の効果と同様の効果が得られる他、次の様な効果が得られる。
(６) 圧力調整手段５にフランジ部５３が設けられ、水素流路６１に対して着脱可能に構成されているので、第一実施形態の(５)の効果と同様の効果が得られ、圧力調整手段５のみを交換できるので、燃料電池システム１全体としての寿命を長くすることができる。
【００４０】
(７) 第一実施形態とは異なり、バイパス流路が設けられていないので、燃料電池システム１の構造を簡略化でき、コントローラ７による制御も簡略化できる。
【００４１】
［第三実施形態］
次に、本発明の第三実施形態について説明する。第三実施形態は、第二実施形態の圧力調整手段の構造が異なるものである。
図３には、第三実施形態にかかる圧力調整手段５が示されており、図３(Ａ)は、圧力調整手段５の側断面図であり、図３(Ｂ)は平断面図である。この図３において、圧力調整手段５の耐圧容器５１は、大径筒状部材としての外側円筒部材５４と、小径筒状部材としての内側円筒部材５５とを備えた二重円筒状に形成されている。内側円筒部材５５は、水素流路６１の内径とほぼ同じ内径のメッシュ状部材で形成され、外側円筒部材５４と略同心上に配置され、外側円筒部材５４内に収納されている。内側円筒部材５５および外側円筒部材５４の両端部は、円環板状の壁部５６によって連結されており、内側円筒部材５５と外側円筒部材５４との間には、水素吸蔵材料５２が収納されている。これらの壁部５６よりも外側には、内側円筒部材５５とほぼ同径の筒状部材５３Ａが突出し、これら筒状部材５３Ａの端部には、水素流路６１に接続されるフランジ部５３が形成されている。
このような圧力調整手段５では、水素流路６１内を流通する水素は、圧力調整手段５の内側円筒部材５５内部を通過する。水素流路６１内の水素圧力が高くなった場合には、水素がメッシュ状の内側円筒部材５５を通過して水素吸蔵材料５２に吸蔵される。
【００４２】
このような第三実施形態によれば、第一実施形態の(１)、(３)、および(４)の効果と同様の効果、および第二実施形態の(６)および(７)の効果と同様の効果が得られる他、次のような効果が得られる。
(８) 圧力調整手段５が、外側円筒部材５４および内側円筒部材５５を有する二重筒状構造となっており、外側円筒部材５４と内側円筒部材５５との間に水素吸蔵材料５２が収納されているので、内側円筒部材５５内部に水素流路６１とほぼ同径の水素流路が形成される。したがって、水素流路６１内の圧力を上昇させることなく水素が良好に水素流路６１内を流通できる。
【００４３】
［第四実施形態］
次に、本発明の第四実施形態について説明する。第四実施形態は、第二実施形態の圧力調整手段の構造が異なるものである。
図４には、第四実施形態にかかる圧力調整手段５が示されており、図４(Ａ)は圧力調整手段５の側断面図であり、図４(Ｂ)は平断面図である。この図４において、圧力調整手段５は、外側円筒部材５４と、内側円筒部材５５とを備えている。内側円筒部材５５は、両端部が閉塞されており、全体がメッシュ状部材で構成されている。内側円筒部材５５内部には、水素吸蔵材料５２が収納されている。内側円筒部材５５外周面の略中央は、外側円筒部材５４に連結される壁部５６によって、外側円筒部材５４に支持固定されている。壁部５６には、複数の孔５６Ａが形成され、水素が通過可能となっている。外側円筒部材５４の内径は、水素流路６１の内径とほぼ同径に形成され、両端部にフランジ部５３が設けられている。
このような燃料電池システム１においては、水素流路６１内を流通する水素は、圧力調整手段５の内側円筒部材５５と外側円筒部材５４との間を通り、壁部５６の孔５６Ａを貫通して燃料電池４に供給される。水素流路６１内の圧力が高い場合には、内側円筒部材５５内の水素吸蔵材料５２が水素を吸蔵する。
【００４４】
このような第四実施形態によれば、第一実施形態の(１)、(３)、および(４)の効果と同様の効果、および第二実施形態の(６)および(７)の効果と同様の効果が得られる他、次のような効果が得られる。
(９) 圧力調整手段５が、外側円筒部材５４および内側円筒部材５５を有する二重筒状構造となっており、内側円筒部材５５内部に水素吸蔵材料５２が収納されているので、内側円筒部材５５の外面全面を水素に接触させることができ、水素との接触面積が大きくなることにより、水素吸蔵材料５２の水素吸蔵、水素放出をより効率的に行える。
【００４５】
［第五実施形態］
次に、本発明の第五実施形態について説明する。第五実施形態は、第二実施形態の燃料電池システムにおいて、燃料電池と圧力調整手段とが互いに隣接して配置されているものである。
図５には、第五実施形態にかかる燃料電池４および圧力調整手段５が示されている。この図５において、燃料電池システム１は、燃料電池４および圧力調整手段５が隣接して配置され、これらの外面が真空断熱材８で覆われている。
燃料電池４は、プロトン伝導性を有する高分子固体電解質膜４１と、この高分子固体電解質膜４１の両面に形成されたアノード電極４２およびカソード電極４３とを有する発電部４４を備え、この発電部４４はケース４５に収納されている。アノード電極４２側には、燃料として水素が供給される水素供給口４７が形成され、この水素供給口４７は、圧力調整手段５側に突出し、圧力調整手段５と連通している。カソード電極４３側には、空気（酸素）が供給される空気供給口４８が複数形成されている。これらの空気供給口４８は外気に開放されており、自然吸気によってアノード電極４２に空気が供給される。なお、アノード電極４２への空気の供給は、ブロアなどによって強制的に行ってもよい。
【００４６】
圧力調整手段５は、耐圧容器５１中に水素吸蔵材料５２が収納されており、耐圧容器５１の一側面は燃料電池４のケース４５に当接されている。耐圧容器５１において燃料電池４への当接面には挿通孔５７が形成されており、この挿通孔５７に燃料電池４の水素供給口４７が挿通されることにより、耐圧容器５１内とケース４５内部のアノード電極４２とが連通される。耐圧容器５１において、燃料電池４とは反対側には、水素流路６１が接続される接続部５８が形成されている。この接続部５８に合成樹脂製などの水素流路６１が嵌合されることにより、圧力調整手段５が水素流路６１に接続されている。したがって、圧力調整手段５は、水素流路６１に対して着脱可能に構成されている。
真空断熱材８は、粉末状、繊維状などに形成された断熱材料を芯材として袋状部材に収納し、袋状部材の内部が真空とされた構成になっている。断熱材料としては、例えばシリカ粉末やグラスウールなどが採用でき、また袋状部材としては、プラスチック部材や金属箔ラミネートフィルムなどが採用できる。真空断熱材８において、圧力調整手段５の接続部５８に対応する部分、および燃料電池４の空気供給口４８に対応する部分には、それぞれ開口部８１，８２が形成されており、開口部８１からは接続部５８が突出し、開口部８２は、空気供給口４８と連通している。なお、真空断熱材８は、圧力調整手段５および燃料電池４の両方を覆っているものに限らず、例えば圧力調整手段５のみ、または燃料電池４のみを覆っていてもよく、要するに真空断熱材８は、圧力調整手段５および燃料電池４の少なくともいずれか一方を覆っている構成であればよい。
【００４７】
このような燃料電池システム１では、第二実施形態と同様に、圧力調整手段５の水素吸蔵材料５２が水素流路６１内の水素圧力に応じて水素を吸蔵、放出して燃料電池４内の圧力を適切に維持する。水素吸蔵材料５２は、水素を吸蔵する際に放熱するが、耐圧容器５１と燃料電池４のケース４５が当接しているので、この放熱量は、耐圧容器５１およびケース４５を介して燃料電池４に伝達され、燃料電池４の加熱用の熱量として利用される。
【００４８】
このような第五実施形態によれば、第一実施形態の(１)、(３)、および(４)の効果と同様の効果、および第二実施形態の(６)および(７)の効果と同様の効果が得られる他、次のような効果が得られる。
(10) 燃料電池４と圧力調整手段５とが互いに隣接して配置され、それぞれのケース４５と耐圧容器５１とが接触しているので、水素吸蔵材料５２が水素を吸蔵する際に放出する熱量を燃料電池４に伝達することができる。したがって、圧力調整手段５で発生する熱を有効に利用して、燃料電池４の反応効率を向上させることができる。
また、燃料電池４および圧力調整手段５が、真空断熱材８で覆われているので、水素吸蔵材料５２からの放熱量が外部に逃げず、燃料電池４への熱伝達効率を向上させることができる。
【００４９】
なお、本発明は前述の実施形態に限定されるものではなく、本発明の目的を達成できる範囲での変形、改良等は本発明に含まれるものである。
圧力調整手段５の構造は、各実施形態で示されたものに限らず、燃料電池システム１の使用条件、使用用途、寸法、各構成部品の配置などを勘案して適宜設定できる。
例えば、図６には、本発明の圧力調整手段の変形例が示されている。この図６において、圧力調整手段５は、水素流路６１とほぼ同径の円筒状に形成され、内部が一対の壁部５６で仕切られている。これらの壁部５６は、メッシュ状部材で構成され、これらの壁部５６間には、水素吸蔵材料５２が収納されている。このような圧力調整手段５によっても、水素流路６１内の水素圧力が高くなった場合には、水素吸蔵材料５２が水素を吸蔵して適切な圧力を維持できる。また、このような構成によっても、フランジ部５３を設けたり、水素流路６１を圧力調整手段５の端部に挿入、嵌合するなどして、水素流路６１に対して着脱可能な構成にできる。
【００５０】
圧力調整手段は、外部の水素供給源から水素を吸蔵可能に構成されていてもよい。例えば圧力調整手段が、水素流路に対して着脱可能に構成されている場合には、圧力調整手段を水素流路から外した際に、水素流路との接続部分から、外部の水素供給源からの水素を所定の圧力で供給し、水素吸蔵材料に水素を吸蔵させてもよい。この場合には、圧力調整手段に予め水素が吸蔵されているので、例えば燃料電池の起動時など、改質器からの水素の生成が間に合わない場合などでは、圧力調整手段から水素放出が行われ、水素が燃料電池に供給されるので、起動時の応答性が良好となる。
また、圧力調整手段が外部の水素供給源から水素を吸蔵可能に構成される場合としては、例えば水素流路との接続部分とは別に水素供給弁などを設け、圧力調整手段を水素流路に接続したまま、水素を外部から供給してもよい。この場合には、燃料電池システムの稼働状況に応じて水素を外部から補給できるので、より柔軟な対応が可能となる。
【００５１】
本発明の燃料電池システムは、耐久性を損なうことなく小型化を促進できるので、例えば携帯電話やノートパソコンなどの携帯機器、車、その他任意の機器に適用できる。
【００５２】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００５３】
【図１】本発明の第一実施形態にかかる燃料電池システムを示す概念図。
【図２】本発明の第二実施形態にかかる燃料電池システムを示す概念図。
【図３】本発明の第三実施形態にかかる圧力調整手段を示す図。
【図４】本発明の第四実施形態にかかる圧力調整手段を示す図。
【図５】本発明の第五実施形態にかかる燃料電池および圧力調整手段を示す図。
【図６】本発明の圧力調整手段の変形例を示す図。
【符号の説明】
【００５４】
１…燃料電池システム、２…改質器、３…燃料供給手段、４…燃料電池、５…圧力調整手段、７…コントローラ、８…真空断熱材、５１…耐圧容器、５２…水素吸蔵材料、６１…水素流路、６２…バイパス流路、６３…第一開閉弁（開閉弁）、６４…第二開閉弁、６５…定圧弁。
【図１】
2005310437.tif 000003
【図２】
2005310437.tif 000004
【図３】
2005310437.tif 000005
【図４】
2005310437.tif 000006
【図５】
2005310437.tif 000007
【図６】
2005310437.tif 000008